(57)【特許請求の範囲】
【請求項１】
親機（M1）及び子機（T1）をライン（L1）で接続した拡声式インターホン装置であって、
前記親機及び子機は、前記ラインに接続された所定の帯域を通過させる第１のバンドパスフィルタ（M21、T21）及び前記所定の帯域より高域の周波数帯域を通過させる第２のバンドパスフィルタ（M22、T22）と、前記第１のバンドパスフィルタからの出力が入力されるエコーキャンセラ（M15、T15）とをそれぞれ備え、
前記エコーキャンセラの入力側にマイク（M12、T12）を接続し、前記エコーキャンセラの出力側に第１のスピーカ（M11、T11）を接続し、
前記第２のバンドパスフィルタの出力側に第２のスピーカ（M17、T17）を接続したことを特徴とする拡声式インターホン装置。
【請求項２】
親機（M1）及び子機（T1）をライン（L1）で接続した拡声式インターホン装置であって、
前記親機及び子機は、前記ラインに接続されたコーデック（M16、T16）と、前記コーデックの出力側に接続された電話帯域を通過させる第１のバンドパスフィルタ（M21、T21）及び電話帯域より高域の周波数帯域を通過させる第２のバンドパスフィルタ（M22、T22）と、前記第１のバンドパスフィルタからの出力が入力されるエコーキャンセラ（M15、T15）と、前記第２のバンドパスフィルタからの出力が入力される音声スイッチ（M19、T19）とをそれぞれ備え、
前記エコーキャンセラの入力側にマイク（M12、T12）を接続し、前記エコーキャンセラの出力側に第１のスピーカ（M11、T11）を接続し、
前記音声スイッチの出力側に第２のスピーカ（M17、T17）を接続したことを特徴とする拡声式インターホン装置。
【請求項３】
前記マイクは、所定の帯域を通過させる第３のバンドパスフィルタ（M23、T23）及び前記所定帯域より高域の周波数帯域を通過させる第４のバンドパスフィルタ（M24、T24）の各入力側に接続され、前記第３のバンドパスフィルタの出力側は前記エコーキャンセラに接続され、前記エコーキャンセラの出力側及び前記第４のバンドパスフィルタの出力側はミキサー（M25、T25）に接続されていることを特徴とする請求項１又は２記載の拡声式インターホン装置。
【発明の詳細な説明】
【０００１】
【発明の属する技術分野】
本発明は拡声式インターホン装置に係わり、通話の周波数帯域をより広帯域とした拡声式インターホン装置に関する。
【０００２】
【従来の技術】
従来から、玄関等に設置された子機と、室内に設けられた親機間で通話を行うインターホン装置において、親機にハンドセットに加えて別途にスピーカを設けて、ハンドセットを取り上げずに子機から送信される音声を別途設けたスピーカから放音可能なハンズフリースピーカーホンと称される拡声式インターホン装置が提案されている。
【０００３】
この拡声式インターホン装置は、図３に示すように、ラインL51で接続された親機M51と、子機T51とを備えたものである。
親機M51はスピーカM61及びマイクM62を備え、スピーカM61及びマイクM62は、それぞれ接続されるアンプM63、M64を介してエコーキャンセラM65に接続される。エコーキャンセラM65は、自局のマイクM62に入力された音声が自局のスピーカM61から放音されないように、ハンズフリー通話を可能とするため特に必要なものであり、いわゆる音響エコーを防止するためマイクM62に入力された音声入力信号S101に音響エコー除去信号を付加するものである。エコーキャンセラM65は、ラインL51に接続されるコーデックM66が接続される。コーデックM66は、マイクM62に入力されたアナログ信号の音声入力信号S101をデジタル信号の音声伝送信号S102に変換しラインL51を介して子機T51に送出するとともに、ラインL51を介して子機T51から伝送されるデジタル信号の音声伝送信号S202をアナログ信号の音声出力信号S203に変換するものである。
【０００４】
子機T51も上述の親機M51と同様の構成であり、スピーカT61及びマイクT62を備え、スピーカT61及びマイクT62は、それぞれ接続されるアンプT63、T64を介してエコーキャンセラT65に接続される。エコーキャンセラT65は、自局のマイクT62に入力された音声が自局のスピーカT61から放音されないように、上述の親機M51のエコーキャンセラM65と同様に、音響エコーを防止するためマイクT62に入力された音声入力信号S201に音響エコー除去信号を付加するものである。エコーキャンセラT65は、ラインL51に接続されるコーデックT66が接続される。コーデックT66は、マイクT62に入力されたアナログ信号の音声入力信号S201をデジタル信号の音声伝送信号S202に変換しラインL51を介して親機M51に送出するとともに、ラインL51を介して親機M51から伝送されるデジタル信号の音声伝送信号S102をアナログ信号の音声出力信号S103に変換するものである。
【０００５】
このような拡声式インターホン装置における双方向のハンズフリー通話（通信）は、以下のようにして行われる。
親機M51のマイクM62に入力された音声入力信号S101は、アンプM64にて増幅され、エコーキャンセラM65にて音響エコー消去信号が付加されることにより、スピーカM61からの放音による音響エコー成分が排除されてコーデックM66に送出される。コーデックM66に入力された音声入力信号S101は、デジタル信号の音声伝送信号S102にＡ／Ｄ変換され、ラインL51を介して子機T51に伝送される。子機T51に伝送された音声伝送信号S102は、コーデックT66にてＤ／Ａ変換され、エコーキャンセラT65を介してアンプT63にて増幅され、スピーカT61から音声出力信号S103として放音される。
【０００６】
一方、子機T51のマイクT62に入力された音声入力信号S201は、アンプT64にて増幅され、エコーキャンセラT65にて音響エコー消去信号が付加されることにより、スピーカT61からの放音による音響エコー成分が排除されてコーデックT66に送出される。コーデックT66に入力された音声入力信号S201は、デジタル信号の音声伝送信号S202にＡ／Ｄ変換され、ラインL51を介して親機M51に伝送される。親機M51に伝送された音声伝送信号S202は、コーデックM66にてＤ／Ａ変換され、エコーキャンセラM65を介してアンプM63にて増幅され、スピーカM61から音声出力信号S203として放音されることから、ラインL51を介する親機M51及び子機T51間において、双方向のハンズフリー通話（通信）が成立していた。
【０００７】
【発明が解決しようとする課題】
しかしながら、従来の拡声式インターホン装置においては、通話可能な音声帯域が、親機M51及び子機T51の各エコーキャンセラM65、T65が動作する周波数帯域に依存することから、各エコーキャンセラM65、T65が電話帯域で動作する場合には、音声信号が送受される通話可能な音声帯域は、電話帯域に制限されるといった難点があった。
【０００８】
本発明は上述した難点に鑑みなされたもので、電話帯域で動作するエコーキャンセラを備えたものであっても、電話帯域より高域の周波数帯域で音声（音声信号）を送受可能な拡声式インターホン装置を提供することを目的とする。
【０００９】
【課題を解決するための手段】
このような目的を達成するため、本発明による拡声式インターホン装置は、親機及び子機をラインで接続した拡声式インターホン装置であって、親機及び子機は、ラインに接続された所定の帯域を通過させる第１のバンドパスフィルタ及び所定の帯域より高域の周波数帯域を通過させる第２のバンドパスフィルタと、第１のバンドパスフィルタからの出力が入力されるエコーキャンセラとをそれぞれ備え、エコーキャンセラの入力側にマイクを接続し、エコーキャンセラの出力側に第１のスピーカを接続し、第２のバンドパスフィルタの出力側に第２のスピーカを接続したものである。
【００１０】
また、本発明による拡声式インターホン装置は、親機及び子機をラインで接続した拡声式インターホン装置であって、親機及び子機は、ラインに接続されたコーデックと、コーデックの出力側に接続された電話帯域を通過させる第１のバンドパスフィルタ及び電話帯域より高域の周波数帯域を通過させる第２のバンドパスフィルタと、第１のバンドパスフィルタからの出力が入力されるエコーキャンセラと、第２のバンドパスフィルタからの出力が入力される音声スイッチとをそれぞれ備え、エコーキャンセラの入力側にマイクを接続し、エコーキャンセラの出力側に第１のスピーカを接続し、音声スイッチの出力側に第２のスピーカを接続したものである。
【００１１】
また、上述のマイクは、所定の帯域を通過させる第３のバンドパスフィルタ及び所定帯域より高域の周波数帯域を通過させる第４のバンドパスフィルタの各入力側に接続され、第３のバンドパスフィルタの出力側はエコーキャンセラに接続され、エコーキャンセラの出力側及び第４のバンドパスフィルタの出力側はミキサーに接続されているものである。
【００１２】
このような拡声式インターホン装置によれば、ラインを介して親機及び子機間で伝送される音声信号のうち、電話帯域の音声信号は第１及び第３のバンドパスフィルタ、エコーキャンセラを介して第１のスピーカからそれぞれ放音させ、電話帯域より高域の周波数の音声信号は第２及び第４のバンドパスフィルタを介して音声スイッチにより制御して別途設けられた第２のスピーカからそれぞれ放音させることにより、エコーキャンセラによって制限される電話帯域の音声信号に限らず、より高域の周波数の音声信号の送受ができるとともに、電話帯域の音声信号は全二重通信、電話帯域より高域の周波数の音声信号は半二重通信とすることができる。
【００１３】
【発明の実施の形態】
以下、本発明による拡声式インターホン装置における好ましい実施の形態例を、図面にしたがって説明する。
この拡声式インターホン装置は、図１に示すように、ラインL1で接続された親機M1と、子機T1とを備えたものである。
【００１４】
親機M1はマイクM12及び第１のスピーカM11を備え、マイクM12がアンプM14、第３のバンドパスフィルタM23を介して入力側に、第１のスピーカM11がアンプM13を介して出力側にそれぞれ接続されるエコーキャンセラM15が備えられる。また、第３のバンドパスフィルタM23は、マイクM12に入力される音声入力信号S1のうち、図２に示す電話帯域の周波数の信号成分のみを通過させ音声信号S11として送出するものである。
【００１５】
エコーキャンセラM15は、マイクM12に入力される音声入力信号S1が自局のスピーカM11から放音されないように、ハンズフリー通話を可能とするため特に必要なものであり、いわゆる音響エコーを防止するため第３のバンドパスフィルタM23を介した音声信号S11に音響エコー除去信号を付加するものである。エコーキャンセラM15の出力側には、後述するミキサーM25を介してラインL1に接続されるコーデックM16が設けられる。また、ミキサーM25には、入力側がマイクM12に接続される第４のバンドパスフィルタM24が接続され、第４のバンドパスフィルタM24は、上述のマイクM12に入力される音声入力信号S1のうち、図２に示す電話帯域より高域の周波数の信号成分のみを通過させ音声信号S12として送出するものであり、ミキサーM25は、エコーキャンセラM15を介した音声信号S11及び第４のバンドパスフィルタM24を介した音声信号S12をミキシングし、音声混合信号S13としてコーデックM16に送出するものである。
【００１６】
コーデックM16は、ミキサーM25より送出された音声混合信号S13をデジタル信号の音声伝送信号S14にＡ／Ｄ変換し、ラインL1を介して子機T1に伝送させるとともに、後述するラインL1を介して子機T1から伝送されるデジタル信号の音声伝送信号S24をアナログ信号の音声伝送信号S25にＤ／Ａ変換して送出するものである。また、コーデックM16はラインL1に接続されるとともに、その出力側には、第１のバンドパスフィルタM21及び第２のバンドパスフィルタM22の入力側がそれぞれ接続される。
【００１７】
出力側にエコーキャンセラM15の入力側が接続される第１のバンドパスフィルタM21は、コーデックM16にてＤ／Ａ変換され送出される音声伝送信号S25のうち、図２に示す電話帯域の周波数の信号成分のみを通過させ音声出力信号S26として送出し、エコーキャンセラM15の出力側に接続されるアンプM13を介して第１のスピーカM11から放音させるものである。また、出力側に音声スイッチM19が接続される第２のバンドパスフィルタM22は、コーデックM16にてＤ／Ａ変換され送出される音声伝送信号S25のうち、図２に示す電話帯域より高域の周波数の信号成分のみを通過させ音声出力信号S27として送出するものであり、音声スイッチM19の出力側に接続されるアンプT18を介して、音声出力信号S27を放音する第２のスピーカであるセラミックスピーカM17が接続される。更に、上述の音声スイッチM19は、アッチネータ、レベル検波器、制御アルゴリズム、増幅器等を備えたバックグラウンドノイズモニタであり、電話帯域より高域の周波数の音声信号、例えば、受話チャンネルの６０Hzノイズをフィルタできるものであって、自局のマイクM12に入力される音声入力信号S1の出力を排除するとともに、２線駆動用増幅器を内蔵するため半二重通信可能とするものである。
子機T1も上述の親機M1と同様の構成であり、マイクT12及び第１のスピーカT11を備え、マイクT12がアンプT14、第３のバンドパスフィルタT23を介して入力側に、第１のスピーカT11がアンプT13を介して出力側にそれぞれ接続されるエコーキャンセラT15が備えられる。また、第３のバンドパスフィルタT23は、マイクT12に入力される音声入力信号S2のうち、図２に示す電話帯域の周波数の信号成分のみを通過させ音声信号S21として送出するものである。
【００１８】
エコーキャンセラT15は、マイクT12に入力される音声入力信号S2が自局のスピーカT11から放音されないように、ハンズフリー通話を可能とするため特に必要なものであり、いわゆる音響エコーを防止するため第３のバンドパスフィルタT23を介した音声信号S21に音響エコー除去信号を付加するものである。エコーキャンセラT15の出力側には、後述するミキサーT25を介してラインL1に接続されるコーデックT16が設けられる。また、ミキサーT25には、入力側がマイクT12に接続される第４のバンドパスフィルタT24が接続され、第４のバンドパスフィルタT24は、上述のマイクT12に入力される音声入力信号S2のうち、図２に示す電話帯域より高域の周波数の信号成分のみを通過させ音声信号S22として送出するものである。更に、ミキサーT25は、エコーキャンセラT15を介した音声信号S21及び第４のバンドパスフィルタT24を介した音声信号S22をミキシングし、音声混合信号S23としてコーデックT16に送出するものである。
【００１９】
コーデックT16は、ミキサーT25より送出された音声混合信号S23をデジタル信号の音声伝送信号S24にＡ／Ｄ変換し、ラインL1を介して親機M1に伝送させるとともに、上述のラインL1を介して親機M1から伝送されるデジタル信号の音声伝送信号S14をアナログ信号の音声伝送信号S15にＤ／Ａ変換して送出するものである。また、コーデックT16はラインL1に接続されるとともに、その出力側には、第１のバンドパスフィルタT21及び第２のバンドパスフィルタT22の入力側がそれぞれ接続される。
【００２０】
出力側にエコーキャンセラT15の入力側が接続される第１のバンドパスフィルタT21は、コーデックT16にてＤ／Ａ変換され送出される音声伝送信号S15のうち、図２に示す電話帯域の周波数の信号成分のみを通過させ音声信号S16として送出し、エコーキャンセラT15の出力側に接続されるアンプT13を介して第１のスピーカT11から放音させるものである。また、出力側に音声スイッチT19が接続される第２のバンドパスフィルタT22は、コーデックT16にてＤ／Ａ変換され送出される音声伝送信号S15のうち、図２に示す電話帯域より高域の周波数の信号成分のみを通過させ音声出力信号S17として送出するものであり、音声スイッチT19の出力側に接続されるアンプT18を介して、音声出力信号S17を放音する第２のスピーカであるセラミックスピーカT17が接続される。更に、上述の音声スイッチT19は、アッチネータ、レベル検波器、制御アルゴリズム、増幅器等を備えたバックグラウンドノイズモニタであり、電話帯域より高域の周波数の音声信号、例えば、受話チャンネルの６０Hzノイズをフィルタできるものであって、自局のマイクT12に入力される音声入力信号S2の出力を排除するとともに、２線駆動用増幅器を内蔵するため半二重通信可能とするものである。
このような構成の拡声式インターホン装置において、以下、ラインL1を介する親機M1及び子機T1間における双方向のハンズフリー通話（通信）について説明する。
【００２１】
親機M1のマイクM12に音声入力信号S1が入力されると、アンプM14にて増幅され、第３のバンドパスフィルタM23、第４のバンドパスフィルタM24にそれぞれ入力される。第３のバンドパスフィルタM23は、入力された音声入力信号S1のうち、電話帯域の周波数の信号成分のみを通過させ音声信号S11としてエコーキャンセラM15に送出する。この音声信号S11は、エコーキャンセラM15にて音響エコー除去信号が付加されてミキサーM25に送出される。また、第４のバンドパスフィルタM24は、入力された音声入力信号S1のうち、電話帯域より高域の周波数の信号成分のみを通過させ音声出力信号S12としてミキサーM25に送出する。
【００２２】
ミキサーM25は、入力された音声信号S11、S12をミキシングし、音声混合信号S13としてコーデックM16に送出する。この音声混合信号S13は、コーデックM16にてＡ／Ｄ変換されデジタル信号の音声伝送信号S14としてラインL1を介して子機T1に伝送され、コーデックT16にてＤ／Ａ変換されアナログ信号の音声伝送信号S15として、第１のバンドパスフィルタT21、第２のバンドパスフィルタT22にそれぞれ入力される。
【００２３】
第１のバンドパスフィルタT21は、入力された音声伝送信号S15のうち、電話帯域の周波数の信号成分のみを通過させ音声出力信号S16として送出する。この音声出力信号S16は、エコーキャンセラT15を介してアンプT13にて増幅され、第１のスピーカT11から放音される。また、第２のバンドパスフィルタT22は、入力された音声伝送信号S15のうち、電話帯域より高域の周波数の信号成分のみを通過させ音声出力信号S17として送出する。この音声出力信号S17は、音声スイッチT19に入力されることにより音声スイッチT19がオンされ、アンプT18にて増幅されてセラミックスピーカT17から上述の音声出力信号S16より高周波数帯域の音声が放音される。
【００２４】
一方、子機T1のマイクT12に音声入力信号S2が入力されると、アンプT14にて増幅され、第３のバンドパスフィルタT23、第４のバンドパスフィルタT24にそれぞれ入力される。第３のバンドパスフィルタT23は、入力された音声入力信号S2のうち、電話帯域の周波数の信号成分のみを通過させ音声信号S21としてエコーキャンセラT15に送出する。この音声信号S21は、エコーキャンセラT15にて音響エコー除去信号が付加されてミキサーT25に送出される。また、第４のバンドパスフィルタT24は、入力された音声入力信号S2のうち、電話帯域より高域の周波数の信号成分のみを通過させ音声信号S22としてミキサーT25に送出する。
【００２５】
ミキサーT25は、入力された音声信号S21、S22をミキシングし、音声混合信号S23としてコーデックT16に送出する。この音声混合信号S23は、コーデックT16にてＡ／Ｄ変換されデジタル信号の音声伝送信号S24としてラインL1を介して親機M1に伝送され、コーデックM16にてＤ／Ａ変換されアナログ信号の音声伝送信号S25として、第１のバンドパスフィルタM21、第２のバンドパスフィルタM22にそれぞれ入力される。
【００２６】
第１のバンドパスフィルタM21は、入力された音声伝送信号S25のうち、電話帯域の周波数の信号成分のみを通過させ音声出力信号S26として送出する。この音声出力信号S26は、エコーキャンセラM15を介してアンプM13にて増幅され、第１のスピーカM11から放音される。また、第２のバンドパスフィルタM22は、入力された音声伝送信号S25のうち、電話帯域より高域の周波数の信号成分のみを通過させ音声出力信号S27として送出する。この音声出力信号S27は、音声スイッチM19に入力されることにより音声スイッチM19がオンされ、アンプM18にて増幅されてセラミックスピーカM17から上述の音声出力信号S26より高周波数帯域の音声が放音される。
【００２７】
上述に示すように、電話帯域より高域の周波数の音声信号を、音声スイッチにより制御して別途に設けられたスピーカから放音させるようにしたことにより、エコーキャンセラによって制限される電話帯域に限らず、高域の周波数の音声信号の送受が可能となる。また、電話帯域の音声信号は全二重通信、電話帯域より高域の周波数の音声信号は半二重通信できる。
【００２８】
また、本願拡声式インターホン装置の他の実施態様として、親機M1及び子機T1に音声スイッチM19、T19を設けずに、第２のバンドパスフィルタM22、T22によりラインL1を伝送され入力される音声信号のうち電話帯域より高域の周波数の音声信号を選択して、第２のスピーカであるセラミックスピーカM17、T17から放音させるようにしても上記実施態様と同様の効果を奏する。
【００２９】
尚、上記実施態様では、コーデックを用いたデジタルインターホン装置について説明したが、本願発明はこれに限定されず、ハイブリッド回路を用いたアナログインターホン装置にも適用可能であり、第２のスピーカはセラミックスピーカのみに限定されず、音声スイッチもこれに限定されず他の制御方法も適用できる。
【００３０】
【発明の効果】
以上の説明から明らかなように、本発明の拡声式インターホン装置によれば、ラインを介して親機及び子機間で送受される音声信号のうち、電話帯域の音声信号は、第１及び第３のバンドパスフィルタ、エコーキャンセラを介して第１のスピーカからそれぞれ放音させ、電話帯域より高域の周波数の音声信号は、第２及び第４のバンドパスフィルタを介して音声スイッチにより制御して別途設けられた第２のスピーカからそれぞれ放音させるようにしたことから、エコーキャンセラによって制限される電話帯域の音声信号に限らず、より高域の周波数の音声信号の送受ができるとともに、電話帯域の音声信号は全二重通信、電話帯域より高域の周波数の音声信号は半二重通信できる。
【図面の簡単な説明】
【図１】本発明による拡声式インターホン装置の一実施例を示すブロック図。
【図２】本発明による拡声式インターホン装置の動作を示す説明図。
【図３】従来の拡声式インターホン装置を示すブロック図。
【符号の説明】
・・・・・親機・・・・・子機、T11・・・・・第１のスピーカ、T12・・・・・マイク、T15・・・・・エコーキャンセラ、T16・・・・・コーデック、T17・・・・・第２のスピーカ、T19・・・・・音声スイッチ、T21・・・・・第１のバンドパスフィルタ、T22・・・・・第２のバンドパスフィルタ、T23・・・・・第３のバンドパスフィルタ、T24・・・・・第４のバンドパスフィルタ、T25・・・・・ミキサー・・・・・ライン
【図１】
0003545596.tif 000002
【図２】
0003545596.tif 000003
【図３】
0003545596.tif 000004